(57)【要約】【課題】  安価な構成で温度検出の精度を向上させ、画質精度の向上と高速駆動可能なサーマルヘッド装置を実現することである。【解決手段】  互いに所定の間隔を置いて直線状に配列された複数の発熱素子１１からなる発熱素子列と、発熱素子列に近接して配置された複数の測温素子１２と、発熱素子１１に通電する通電制御部２１０と、通電制御対象となる発熱素子１１の温度を当該発熱素子１１の近傍に位置する複数の測温素子１２からの複数の検出温度値に基づいて通電制御対象となる発熱素子１１に対する通電制御部２１０の通電動作を制御する通電制御部２１０と、を備えたサーマルヘッド装置。【選択図】図７
2005262814.tif 000002
【特許請求の範囲】
【請求項１】
互いに所定の間隔を置いて直線状に配列された複数の発熱素子からなる発熱素子列と、
前記発熱素子列に近接して配置された複数の温度検出素子と、
前記発熱素子に通電する駆動手段と、
通電制御対象となる発熱素子の温度を当該発熱素子の近傍に位置する複数の温度検出素子からの複数の検出温度値に基づいて前記通電制御対象となる発熱素子に対する前記駆動手段の通電動作を制御する制御手段と、
を備えたことを特徴とするサーマルヘッド装置。
【請求項２】
請求項１に記載のサーマルヘッド装置において、
前記制御手段は、前記複数の温度検出素子からの複数の検出温度値の平均値に基づいて通電動作制御を行うことを特徴とするサーマルヘッド装置。
【請求項３】
請求項１又は２に記載のサーマルヘッド装置において、
前記複数の発熱素子と前記複数の温度検出素子とが前記発熱素子列の配列方向において交互に配置されていることを特徴とするサーマルヘッド装置。
【請求項４】
請求項１又は２に記載のサーマルヘッド装置において、
前記複数の温度検出素子は、前記発熱素子に近接して当該発熱素子列の配列方向に平行に配列されていることを特徴とするサーマルヘッド装置。
【請求項５】
請求項４に記載のサーマルヘッド装置において、
前記各温度検出素子は、前記発熱素子列の配列方向において隣接する二つの発熱素子の中間位置に配置されていることを特徴とするサーマルヘッド装置。
【請求項６】
請求項１又は２に記載のサーマルヘッド装置において、
前記複数の発熱素子と前記複数の温度検出手段とは、互い違いに千鳥配設されていることを特徴とするサーマルヘッド装置。
【発明の詳細な説明】
【技術分野】
【０００１】
本発明は、サーマルヘッド装置に関し、詳しくはサーマルヘッド上に配設された発熱素子の通電制御に関する。
【背景技術】
【０００２】
サーマルヘッド装置は、入力される画像データに応じて発熱素子を選択的に駆動して発熱させ、その熱エネルギーにより記録媒体に画像を印画するようにしたものである。
このような温度依存性を持つ記録媒体は、設置される環境温度の影響を受け易く、周囲温度によって発色濃度に誤差が生じる場合がある。また、画像の印画動作の進行に従い、サーマルヘッドの蓄熱作用によるサーマルヘッド自体の温度上昇に伴って印画濃度が上昇し、「印字つぶれ」や「尾引き」と呼ばれる印画不良が発生し、画質の低下を招く問題がある。高品質な画像を提供するために階調による濃淡画像を印画する場合には、このような印画不良は大きな問題となる。
【０００３】
このような不具合を解消する方策として、サーマルヘッドの温度を過去の印画履歴情報によって推測して発熱素子の熱量を制御する、いわゆる「履歴制御」が知られている。この制御方法は未来の温度を過去の情報に基づいて推測しているにすぎず、階調による濃淡精度を高めるにはより精度の高い温度制御が必要とされる。
【０００４】
従来、電気抵抗値が温度に依存して変化する発熱素子を用いて、発熱素子を印字データに基づき発熱させる発熱駆動回路と、前記発熱素子の両端の電圧変化を検知して温度を検知する温度検知回路として使用できる回路を備え、定期的に使用目的を切替えて発熱量を制御し、印字駆動シーケンスと温度検知シーケンスとを時系列で繰返しつつ印字動作を行い、温度制御の精度を高めたサーマルヘッド装置が公知である（例えば、特許文献１参照）。
【特許文献１】特開平８−１６９１３３号公報
【発明の開示】
【発明が解決しようとする課題】
【０００５】
しかしながら、特許文献１に開示されたものは、印字駆動シーケンスと温度検知シーケンスとを時系列的に繰返し切替えて温度検出を行うため、温度検出回数を上げるほど逆に印画速度が低下する問題があり、また制御回路も複雑となることからサーマルヘッド装置のコストが増加する。
【０００６】
本発明の課題は、安価な構成で温度検出の精度を向上させ、画質精度の向上と高速駆動可能なサーマルヘッド装置を実現することである。
【課題を解決するための手段】
【０００７】
請求項１に記載の発明は、互いに所定の間隔を置いて直線状に配列された複数の発熱素子からなる発熱素子列と、前記発熱素子列に近接して配置された複数の温度検出素子と、前記発熱素子に通電する駆動手段と、通電制御対象となる発熱素子の温度を当該発熱素子の近傍に位置する複数の温度検出素子からの複数の検出温度値に基づいて前記通電制御対象となる発熱素子に対する前記駆動手段の通電動作を制御する制御手段と、を備えたことを特徴としている。
【０００８】
請求項２に記載の発明は、請求項１に記載のサーマルヘッド装置において、前記制御手段は、前記複数の温度検出素子からの複数の検出温度値の平均値に基づいて通電動作制御を行うことを特徴としている。
【０００９】
請求項３に記載の発明は、請求項１又は２に記載のサーマルヘッド装置において、前記複数の発熱素子と前記複数の温度検出素子とが前記発熱素子列の配列方向において交互に配置されていることを特徴としている。
【００１０】
請求項４に記載の発明は、請求項１又は２に記載のサーマルヘッド装置において、前記複数の温度検出素子は、前記発熱素子に近接して当該発熱素子列の配列方向に平行に配列されていることを特徴としている。
【００１１】
請求項５に記載の発明は、請求項４に記載のサーマルヘッド装置において、前記各温度検出素子は、前記発熱素子列の配列方向において隣接する二つの発熱素子の中間位置に配置されていることを特徴としている。
【００１２】
請求項６に記載の発明は、請求項１又は２に記載のサーマルヘッド装置において、前記複数の発熱素子と前記複数の温度検出手段とは、互い違いに千鳥配設されていることを特徴としている。
【発明の効果】
【００１３】
請求項１に記載の発明によれば、互いに所定の間隔を置いて直線状に配列された複数の発熱素子からなる発熱素子列と、発熱素子列に近接して配置された複数の温度検出素子と、発熱素子に通電する駆動手段と、通電制御対象となる発熱素子の温度を当該発熱素子の近傍に位置する複数の温度検出素子からの複数の検出温度値に基づいて通電制御対象となる発熱素子に対する駆動手段の通電動作を制御する制御手段と、を備えたことにより、安価な構成で発熱素子の温度検出の精度を向上させることができ、画質精度の向上と高速駆動可能なサーマルヘッド装置を実現することができる。
【００１４】
請求項２に記載の発明によれば、請求項１と同様の効果を得られるのは勿論のこと、制御手段は、複数の温度検出素子からの複数の検出温度値の平均値に基づいて通電動作制御を行うことにより、発熱素子の温度検出の精度を向上させることができる。
【００１５】
請求項３に記載の発明によれば、請求項１又は２と同様の効果を得られるのは勿論のこと、複数の発熱素子と複数の温度検出素子とが発熱素子列の配列方向において交互に配置されていることにより、発熱素子の温度を常時複数の温度検出手段から検出される検出温度に基づいて算出することができるため、発熱素子の温度検出の精度を向上させることができる。
【００１６】
請求項４に記載の発明によれば、請求項１又は２と同様の効果を得られるのは勿論のこと、複数の温度検出素子は、発熱素子に近接して当該発熱素子列の配列方向に平行に配列されていることにより、発熱素子の配設間隔を自由に設定することができるため、求められる解像度に応じて発熱素子を配設することができる。
【００１７】
請求項５に記載の発明によれば、請求項４と同様の効果を得られるのは勿論のこと、各温度検出素子は、発熱素子列の配列方向において隣接する二つの発熱素子の中間位置に配置されていることにより、発熱素子の温度検出の精度を向上させることができ、また、発熱素子及び温度検出手段の配線スペースを確保することが容易となり、装置構成を簡素化することができる。
【００１８】
請求項６に記載の発明によれば、請求項１又は２と同様の効果を得られるのは勿論のこと、複数の発熱素子と複数の温度検出手段とは、互い違いに千鳥配設されていることにより、発熱素子の温度を、発熱素子の周囲に配設された複数の温度検出手段から検出される温度に基づいて算出することができるため、発熱素子の温度検出の精度を向上させることができる。
【発明を実施するための最良の形態】
【００１９】
以下、図を参照して本発明の実施の形態を詳細に説明する。
本発明が適用可能な装置例としては、溶融型の熱転写記録装置、昇華型の熱転写記録装置の他に、感熱記録媒体を使用する熱転写記録装置が挙げられる。本実施の形態は、本発明を昇華型の熱転写記録装置（以下、昇華型熱転写記録装置と言う。）に適用した例で説明する。
【００２０】
まず、構成を説明する。
図１に、本実施の形態における昇華型熱転写記録装置１の概略構成図を示す。
図１に示すように、昇華型熱転写記録装置１は、記録媒体Ｐの搬送方向（副走査方向）Ｘと略直交する方向（主走査方向）に記録媒体Ｐの全幅にわたって配列された複数の発熱素子列を有するサーマルヘッド１０と、一定速度で回転駆動されるプラテンローラ２０と、イエロー（Ｙ）、マゼンダ（Ｍ）、シアン（Ｃ）、保護膜の順番に記録媒体Ｐのサイズに応じた領域に染料インク及び保護材が塗布又は印刷されたインクリボン３０と、を備えている。
【００２１】
記録媒体Ｐは、サーマルヘッド１０とプラテンローラ２０とに挟まれる状態で、サーマルヘッド１０の発熱素子の発熱タイミングに同期してインクリボン色毎に搬送方向Ｘに往復搬送される。この搬送時に、選択的に通電された発熱素子からインクリボン３０に熱が加えられると、加熱された染料インクが記録媒体Ｐに浸透し、記録媒体Ｐに画像が印画される。印画される画像の濃度は、インクリボン３０に加えられる熱を制御することにより細かく変化させることができる。例えば、各色１画素あたり２５６階調の滑らかな階調の表現が可能である。
【００２２】
図２及び３に、サーマルヘッド１０における発熱素子１１及び温度検出手段としての測温素子１２の配設例を示す。
図２に従来の配設例を示し、図３に本発明の配設例を示す。
図２に示すように、従来は、サーマルヘッド１０の長手方向に複数の発熱素子１１が印画される解像度に応じたピッチでインライン配設されている。例えば、解像度が３００ｄｐｉ（dot per inch）の場合、発熱素子１１の配設間隔ｄ１は３００ドット／インチである。一方、測温素子１２の配置数は、発熱素子１１の数に対して少なく、サーマルヘッド１０全体の温度を検出するために数個の測温素子１２が設けられているのみである。このように、サーマルヘッド全体の検出温度に基づいて通電制御を行っている場合が多いため、発熱素子１１毎の温度を精度よく検出することが難しいという問題があった。
【００２３】
図３に示すように、本発明は、サーマルヘッド１０の長手方向に複数の発熱素子１１が印画される解像度に応じたピッチでインライン配列されており、発熱素子１１と発熱素子１１との間に測温素子１２が配設され、発熱素子１１と測温素子１２とが交互に隣接配設されている。したがって、例えば、解像度が３００ｄｐｉの場合、発熱素子１１と隣接する測温素子１２との配設間隔ｄ２は、６００ドット／インチの間隔となる。
【００２４】
このように、発熱素子１１と測温素子１２とをサーマルヘッド１０の長手方向に交互に配設することによって、例えば、発熱素子１１ａの温度を検出する場合、発熱素子１１ａに隣接する測温素子１２ａ、１２ｂからの検出温度の平均値を発熱素子１１ａの温度として求めることができる。このことは、発熱素子１１の温度を常時複数の測温素子１２から検出される温度に基づいて算出することができることを意味し、発熱素子１１の温度検出の精度をより向上させることができる。
【００２５】
図４に、発熱素子１１と測温素子１２との他の配設例を示す。
図４（ａ）は、サーマルヘッド１０の長手方向にインライン配列された複数の発熱素子１１からなる発熱素子列Ａと、サーマルヘッド１０の長手方向にインライン配列された複数の測温素子１２からなる温度検出手段列としての測温素子列Ｂとが互いに近接して配置され、発熱素子列Ａと測温素子列Ｂとが互いに平行になるように配設されている例である。
【００２６】
例えば、発熱素子１１ａの温度を検出する場合、発熱素子１１ａに近接する測温素子１２ａ、１２ｂ、１２ｃからの検出温度の平均値を発熱素子１１ａの温度として求めることができるため、発熱素子１１の温度検出の精度を向上させることができる。
【００２７】
また、発熱素子列Ａと測温素子列Ｂとを互いに独立として並列に配設したことにより、発熱素子１１の配設間隔ｄ１を自由に設定することができるため、求められる解像度に応じた設計を可能とし、設計、製造の自由度が向上する。
【００２８】
図４（ｂ）は、発熱素子１１と測温素子１２とを互い違いに配列（千鳥配列）とした例である。
【００２９】
発熱素子１１と測温素子１２とを互い違いになるように配設したことにより、例えば、発熱素子１１ａの温度を検出する場合、発熱素子１１ａの周囲に配設されている測温素子１２ａ、１２ｂ、１２ｃからの検出温度の平均値を発熱素子１１ａの温度として求めることができ、発熱素子１１の温度は、発熱素子１１の周囲に配設された測温素子１２から検出される温度に基づいて算出することができるため、発熱素子の温度検出の精度をより向上させることができる。
【００３０】
図４（ｃ）は、図４（ａ）に示した発熱素子列Ａと測温素子列Ｂとが互いに並列に配設され、かつ、各測温素子１２は、発熱素子列Ａの配列方向において隣接する２つの発熱素子１１の中間位置に配置されている例である。即ち、発熱素子１１と測温素子１２との間隔ｄ２は、発熱素子の配設間隔ｄ１の１／２の間隔となるように、発熱素子列Ａと測温素子列Ｂとをサーマルヘッド１０の長手方向にずらして配設された例である。
【００３１】
各測温素子１２が発熱素子列Ａの配列方向において隣接する２つの発熱素子１１の中間位置に配置されていることにより、例えば、発熱素子１１ａの温度を検出する場合、発熱素子１１ａと等間隔に配設された測温素子１２ａ、１２ｂからの検出温度の平均値を発熱素子１１ａの温度として求めることができるため、発熱素子の温度検出の精度をより向上させることができ、また、発熱素子１１、測温素子１２の配線スペースを確保することが容易となり、サーマルヘッド配線構成を簡素化することができる。
【００３２】
なお、発熱素子１１の温度は、上述した測温素子１２ａ、１２ｂ、１２ｃの平均値としたが、温度を検出する発熱素子近傍に配設された複数の測温素子１２の検出温度から算出されれば、この限りでなくてもよい。
【００３３】
本実施の形態に用いられる発熱素子１１は、温度変化に影響を受けず一定抵抗値の特性を有するものでもよく、温度変化に応じて抵抗値が変化するものでもよい。
【００３４】
図５に、発熱素子１１の発熱温度による印画濃度の関係を表す温度−濃度特性図を示す。
図５には、横軸に発熱素子１１の温度、即ち、記録媒体Ｐに印加される温度を示し、縦軸に記録媒体Ｐに印画される濃度Ｄを示す。
濃度Ｄは、発熱素子１１の温度Ｔによって決定され、このよう特性図は、インクリボンに塗布されるインクの種類や記録媒体Ｐの種類等によって設定されている。
例えば、希望する濃度Ｄ１で印画するためには、発熱素子の温度がＴ１となるように制御する必要があり、従来のような「履歴制御」を行うと、発熱素子１１の温度と推測された温度とに誤差が生じた場合、濃度に誤差が生じてしまう。
【００３５】
本実施の形態に用いられる測温素子１２は、温度変化に応じて抵抗値が変化するものであり、温度変化分と抵抗値変化分との関係、即ち、抵抗−温度特性が、極力直線性の良好な関係を有するものが好ましい。例えば、アルミニウム、クロム、ボロン等の合金から成るサーミスタと呼ばれる抵抗体を用いることができる。
【００３６】
図６に、測温素子１２の抵抗値と温度との関係を表す抵抗値−温度特性図を示す。
図６には、横軸に測温素子１２の抵抗値を示し、縦軸に温度を示す。
抵抗値Ｒは、温度Ｔによって決定され、抵抗値−温度特性は、用いられる測温素子１２の種類に応じて設定されている。
例えば、測温素子１２が抵抗値Ｒ１のとき、温度Ｔ１と判断することができため、抵抗値Ｒを検出することにより、温度Ｔを判断することができる。
【００３７】
図７に、本発明に係るサーマルヘッド装置を用いた昇華型熱転写記録装置１の制御ブロック図を示す。
昇華型熱転写記録装置１の制御部１００は、メイン制御部１１０と、通電時間算出部１２０と、変換データ記憶部１３０と、データ出力部１４０と、サーマルヘッド１０の制御部２００と、図示しない記録媒体Ｐを搬送するモータを制御するモータ制御部や、操作表示部を制御する操作制御部等の各種機能を制御する各種制御部とを備え、各部は通信手段としてのバス等により接続されている。各制御部は、それぞれＣＰＵ（Central Processing Unit）、ＲＯＭ（Read Only Memory）、ＲＡＭ（Random Access Memory）等を備えており、ＣＰＵは、ＲＯＭ等に記憶されているシステムプログラム、各処理プログラム、データを読み出してＲＡＭ内に展開し、展開されたプログラムに従って、各部の動作を制御する。
【００３８】
メイン制御部１１０は、各制御部を統括的に制御しており、昇華型熱転写記録装置１の各部の動作を集中制御する。システム全体のタイミング制御、画像データの記憶及び蓄積制御、画像データの出力、操作表示部の入出力制御、他のアプリケーションとのインターフェイス（Ｉ／Ｆ）の動作制御を行うものである。
【００３９】
通電時間算出部１２０は、入力された画像データに基づいて、ドット毎の濃度を印画させるために要する目標通電時間ｔ0を、通電時間と濃度との相関データに基づいて算出する。
また、入力された画像データに基づいて、ドット毎に濃度値に対応する温度値を図５に示すような温度−濃度特性図に基づいて変換し、変換された温度値は対応する抵抗値を図６に示すような抵抗値−温度特性図に基づいて変換し、濃度値が印画されるための目標温度値、即ち、目標抵抗値Ｒ0を算出する。
【００４０】
変換データ記憶部１３０は、通電時間算出部１２０が算出した目標通電時間ｔ0のデータと、目標抵抗値Ｒ0のデータが一時的に記憶されている。
【００４１】
データ出力部１４０は、変換データ記憶部１３０に記憶されている目標通電時間ｔ0のデータと目標抵抗値Ｒａを印画ライン毎にサーマルヘッド１０の制御部２００に出力する。
【００４２】
サーマルヘッド１０の制御部２００は、駆動手段及び制御手段としての通電制御部２１０と、Ａ／Ｄ変換部２２０とを備えている。
【００４３】
通電制御部２１０は、データ出力部１４０から入力された目標通電時間ｔ0と、目標抵抗値Ｒ0と、Ａ／Ｄ変換部２２０から入力された測温素子１２の検出抵抗値Ｒに基づいて、各発熱素子１１への通電時間制御、即ち、各発熱素子１１への通電のＯＮ／ＯＦＦ制御を行う。本実施の形態を実現させるために、発熱素子１１に通電開始から目標通電時間ｔ0経過までの間に、Ａ／Ｄ変換部２２０においてＡ／Ｄ変換された複数の測温素子１２の検出抵抗値Ｒから発熱素子１１毎の温度を示す平均抵抗値Ｒａを算出する。そして、記録媒体Ｐに発熱素子毎に設定された濃度の発色を行わせるために設定された目標温度に対応する目標抵抗値Ｒ0と、算出された平均抵抗値Ｒａとを比較して、平均抵抗値Ｒａが目標抵抗値Ｒ0以上の場合、発熱素子１１への通電を停止する。
【００４４】
Ａ／Ｄ変換部２２０は、複数の測温素子１２から検出される検出抵抗値ＲをＡ／Ｄ変換し、通電時間制御部２１０に出力する。
【００４５】
次に、本実施の形態の動作を説明する。
サーマルヘッドによる印画動作は、サーマルヘッド１０上に配設された複数の発熱素子１１が選択的に発熱され、インクリボンが加熱されることにより行われる。サーマルヘッド１０上に配設された発熱素子１１の配設間隔が３００ｄｐｉの場合、記録媒体Ｐの搬送方向Ｘ（副走査方向）の印画ラインの間隔も３００ｄｐｉであるのが通常であり、この印画ラインの間隔で記録媒体Ｐ上への印画動作、即ち、サーマルヘッド１０の通電制御が周期的に繰り返される。本実施の形態の動作は、印画ライン毎にサーマルヘッド１０を通電制御する際の、サーマルヘッド１０上の発熱素子毎の通電制御について説明するが、実際には、全ての発熱素子について、独立制御されている。
【００４６】
図８に、本実施の形態における発熱素子１１の通電制御のフローチャートを示す。
画像データが入力されると（ステップＳ１）、入力された画像データは通電時間算出部１２０に出力される。
【００４７】
通電時間算出部１２０において、入力された画像データに基づいてドット毎の濃度値に対応した目標通電時間ｔ0が算出される（ステップＳ２）。また、画像データの印画ライン毎のドット毎の濃度値は、対応する温度値に変換され（ステップＳ３）、変換された温度値は、対応する抵抗値に変換され（ステップＳ４）、濃度値を実現するための温度値となる目標抵抗値Ｒ0が設定され（ステップＳ５）、変換データ記憶部１３０に記憶される。変換データ記憶部１３０に記憶された目標通電時間ｔ0と、目標抵抗値Ｒ0とが、印画ライン毎に通電時間制御部２１０に出力される。
【００４８】
通電時間制御部２１０において、入力された目標通電時間ｔ0と目標抵抗値Ｒ0が入力されると、発熱素子１１へ通電を開始させ、通電時間の計時が行われる（ステップＳ６）。そして、Ａ／Ｄ変換された複数の測温素子１２からの検出抵抗値Ｒの平均抵抗値Ｒａが算出され（ステップＳ７）、平均抵抗値Ｒａが目標抵抗値Ｒ0以上であるか否かが判断される（ステップＳ８）。
【００４９】
平均抵抗値Ｒａが目標抵抗値Ｒ0以上である場合（ステップＳ８；Ｙｅｓ）、発熱素子１１への通電が停止される（ステップＳ９）。
【００５０】
平均抵抗値Ｒａが目標抵抗値Ｒ0より低い場合（ステップＳ８；Ｎｏ）、目標通電時間ｔ０が経過されているか否かが判断される（ステップＳ１０）。
【００５１】
目標通電時間ｔ0が経過されていない場合（ステップＳ１０；Ｎｏ）、測温素子１２の抵抗値の監視が続けられる（即ち、発熱素子１１の温度監視が続けられる）（ステップＳ７に戻る）。
【００５２】
目標通電時間ｔ0が経過した場合（ステップＳ１０；Ｙｅｓ）、発熱素子１１への通電が停止される（ステップＳ９）。
【００５３】
このように、複数の発熱素子１１に近接して配設された発熱素子１１の温度を検出する複数の測温素子１２と、複数の測温素子１２から検出された検出抵抗Ｒに基づいて発熱素子１１毎に温度（即ち、平均抵抗値Ｒａ）が算出され、算出された発熱素子毎の平均抵抗値Ｒａが予め設定された目標温度（即ち、目標抵抗値Ｒａ）以上となった場合、発熱素子１１への通電を停止させよう制御するサーマルヘッドの制御部２００を備えることにより、安価な構成で発熱素子１１の温度検出の精度向上させることができ、画質精度の向上と高速駆動可能なサーマルヘッド装置を実現することができる。
【００５４】
なお、本実施の形態では昇華型熱転写記録装置に本発明のサーマルヘッド装置を用いた場合を説明したが、溶融型熱転写記録装置や感熱記録媒体を使用するサーマル記録装置についても本発明のサーマルヘッド装置を用いることができる。
【００５５】
また、本発明は、上記実施の形態の内容に限定されるものではなく、本発明の主旨を逸脱しない範囲で適宜変更可能である。
【図面の簡単な説明】
【００５６】
【図１】本実施の形態における昇華型熱転写記録装置１の概略構成図である。
【図２】従来のサーマルヘッド１０に配設されている発熱素子１１と測温素子１２との配設例である。
【図３】本発明のサーマルヘッド１０に配設されている発熱素子１１と測温素子１２との配設例である。
【図４】発熱素子１１と測温素子１２との他の配設例である。
【図５】発熱素子１１の発熱温度による印画濃度の関係を表す温度−濃度特性図である。
【図６】測温素子１２の抵抗値と温度との関係を表す抵抗値−温度特性図である。
【図７】本実施の形態における昇華型熱転写記録装置１の制御ブロック図である。
【図８】本実施の形態における発熱素子１１の通電制御のフローチャートである。
【符号の説明】
【００５７】
１  昇華型熱転写記録装置
１０  サーマルヘッド
１１、１１ａ  発熱素子
１２、１２ａ、１２ｂ、１２ｃ  測温素子
２０  プラテンローラ
３０  インクリボン
１００  昇華型熱転写記録装置の制御部
１１０  メイン制御部
１２０  通電時間算出部
１３０  変換データ記憶部
１４０  データ出力部
２００  サーマルヘッドの制御部
２１０  通電時間制御部
２２０  Ａ／Ｄ変換部
Ａ  発熱素子列
Ｂ  測温素子列
ｄ１  発熱素子の配設間隔
ｄ２  発熱素子と測温素子との配設間隔
Ｒ  検出抵抗値
Ｒａ  平均抵抗値
Ｒ0  目標抵抗値
ｔ0  目標通電時間
Ｐ  記録媒体
Ｘ  搬送方向
【図１】
2005262814.tif 000003
【図２】
2005262814.tif 000004
【図３】
2005262814.tif 000005
【図４】
2005262814.tif 000006
【図５】
2005262814.tif 000007
【図６】
2005262814.tif 000008
【図７】
2005262814.tif 000009
【図８】
2005262814.tif 000010